(57)【要約】【課題】小魚の自然の動きにより近い動きをし、一般魚にも好適であるが、ブラックバス等の大型魚を釣るのにとくに好適な釣用ブレード付きルアーを提供する。【解決手段】本発明の釣用ブレード付きルアー(10)は、ハードルアーで構成され、ルアーの先端部に金属線環状体(8)を遊動状態で繋ぎ、金属線環状体(8)を構成する金属線の太さより大きい孔(7a,7b)をあけたブレード(7)に金属線を入れてブレード(7)を前後方向及びルアーの進行方向に対して任意の角度に遊動可能に取り付ける。【選択図】図１
2012080826.tif 000002
【特許請求の範囲】
【請求項１】
ハードルアーで構成される釣用ブレード付きルアーであって、
前記ルアーの先端部に金属線環状体を遊動状態で繋ぎ、
前記金属線環状体を構成する金属線の太さより大きい孔をあけたブレードに前記金属線を入れて前記ブレードを前後方向及びルアーの進行方向に対して任意の角度に遊動可能に取り付けたことを特徴とする釣用ブレード付きルアー。
【請求項２】
前記金属線環状体の先端部はライン接続部である請求項１に記載の釣用ブレード付きルアー。
【請求項３】
前記金属線環状体はルアーのラインアイ又はスプリットリングに繋がれている請求項１又は２に記載の釣用ブレード付きルアー。
【請求項４】
前記ブレードにあけた孔の直径は、前記金属線環状体を構成する金属線の太さより２倍以上大きい請求項１〜３のいずれか１項に記載の釣用ブレード付きルアー。
【請求項５】
前記ブレードは厚さが０．１〜１ｍｍ、面積が１００〜９００ｍｍ2の範囲の金属製板である請求項１〜３のいずれか１項に記載の釣用ブレード付きルアー。
【請求項６】
前記ブレードはルアーの進行方向に向かって中央が凹の湾曲形状に形成されている請求項１〜５のいずれか１項に記載の釣用ブレード付きルアー。
【請求項７】
前記ハードルアーは、スプーン、スピナー、プラグ及びジグから選ばれる少なくとも一つである請求項１〜６のいずれか１項に記載の釣用ブレード付きルアー。
【発明の詳細な説明】
【技術分野】
【０００１】
本発明は、改良された釣用ブレード付きルアーに関する。
【背景技術】
【０００２】
近年、木製やプラスチック製の釣用ルアー（疑似餌）を用いたルアーフィッシングが盛んに行われている。ルアーフィッシングでは、対象魚の種類等に応じて種々のルアーが使用されている。
【０００３】
上記ルアーにはハードルアーと呼ばれるものがあり、この中にはスプーン、スピナー、プラグ、ジグなどがある。プラグとしては、下記のものを例示できる（非特許文献１）。
（１）水面上に浮かべて使用するルアー（トップウォーターともいう）として、ペンシルベイト、スウィッシャー、ポッパー、ノイジー等
（２）リップ付きで水中で使用するミノー、クランクベイト等
（３）その他として、バイブレーション・プラグ等
【０００４】
また、特許文献１〜２ではリップ付きルアーが提案され、特許文献３ではペンシルベイトルアーが提案されている。これらの文献に記載されたルアーは、小魚を模倣しており、釣り対象の魚の興味を引くことを目的に作られている。
【先行技術文献】
【特許文献】
【０００５】
【特許文献１】特開２００５−１８５２５７号公報
【特許文献２】特開２００４−０５７２０３号公報
【特許文献３】特開２００１−０６１３７２号公報
【非特許文献】
【０００６】
【非特許文献１】橋口彰一郎ら編著、「新・ルアーフィッシング入門」、２００４年７月２８日、学習研究社、２８〜３９頁
【発明の概要】
【発明が解決しようとする課題】
【０００７】
しかし、前記従来のルアーは、形状や外観は小魚に類似しているが、小魚の自然の動きをするまでには至っておらず、ブラックバス等の大型魚を釣る場合のルアーとしては、さらに改良することが求められていた。
【０００８】
本発明は、前記従来の問題を解決するため、小魚の自然の動きにより近い動きをし、一般魚にも好適であるが、ブラックバス等の大型魚を釣るのにとくに好適な釣用ブレード付きルアーを提供する。
【課題を解決するための手段】
【０００９】
本発明の釣用ブレード付きルアーは、ハードルアーで構成される釣用ブレード付きルアーであって、前記ルアーの先端部に金属線環状体を遊動状態で繋ぎ、前記金属線環状体を構成する金属線の太さより大きい孔をあけたブレードに前記金属線を入れて前記ブレードを前後方向及びルアーの進行方向に対して任意の角度に遊動可能に取り付けたことを特徴とする。
【発明の効果】
【００１０】
本発明の釣用ブレード付きルアーは、ルアーの先端部に金属線環状体を遊動状態で繋ぎ、金属線環状体を構成する金属線の太さより大きい孔をあけたブレードに金属線を入れてブレードを前後方向及びルアーの進行方向に対して任意の角度に遊動可能に取り付けたことにより、水流の抵抗を受けると、ブレードが前後方向及びルアーの進行方向に対して任意の角度に遊動する。これにより、ルアーに不規則で変幻自在な動きを与える。ルアーはあたかも小魚が泳ぐような挙動をし、いわゆるルアーにアクションをさせることができ、例えば蛇行、千鳥、エスケープ・アクションしたり、急な方向転換をしたり、予測できないタイミングで変化する釣りの対象とする魚を誘うような動作をする。具体的には、進行方向に向かって左右上下など様々な方向に不規則で大きな変化をした泳ぎをする。よって、小型魚〜中型魚の一般魚にも好適であり、ブラックバス等の大型魚を釣るのにとくに好適なルアーを提供できる。
【図面の簡単な説明】
【００１１】
【図１】図１は本発明における一実施例のブレード付きルアーの側面図である。
【図２】図２Ａは同ルアーのブレードの正面図、図２Ｂは図２ＡのＩ−Ｉ線断面図、図２Ｃは図２ＡのＩＩ−ＩＩ線断面図である。
【図３】図３は本発明における一実施例のメタルジグにブレードを付けた側面図である。
【図４】図４は本発明における一実施例のラバージグにブレードを付けた側面図である。
【発明を実施するための形態】
【００１２】
本発明のルアーはハードルアーで構成される。ハードルアーとは、硬質樹脂、金属、木材などの硬質材料で形成されているルアーである。具体的には下記に示すものがある。
（１）スプーン
（２）スピナー
（３）プラグ
プラグの中にはペンシルベイト、スウィッシャー、ホッパー、ノイジー等のトップウォーター、フローティング、サスペンド、シンキング等のミノー及びクランクベイト、バイブレーション等。
（４）ジグ
メタルジグ、フェザージグ、ラバージグ等。
【００１３】
ルアーの先端部にはブレードが取り付けられている。ブレードはルアー本体の直進泳動を妨げる方向に配置するが、ブレードはルアー本体の先端部に金属線環状体を遊動状態で繋ぎ、金属線環状体を構成する金属線の太さより大きい孔をあけたブレードに金属線を入れてブレードを前後方向及びルアーの進行方向に対して任意の角度に遊動可能に取り付けていることにより、水中ではブレードが前後方向及びルアーの進行方向に対して任意の角度に遊動する。これにより、ルアーに不規則で変幻自在な動きを与える。
【００１４】
金属線環状体の先端部はライン接続部とし、ここにラインを接続するのが好ましい。また、金属線環状体はルアーのラインアイ又はスプリットリングに接続するのが好ましい。ラインアイもスプリットリングも、ルアー本体に固定されているライン接続用環状体のことである。
【００１５】
ブレードにあけた孔の直径は、金属線環状体を構成する金属線の太さより２倍以上大きいことが好ましい。さらに好ましくは２〜６倍、とくに好ましくは２．５〜５倍である。前記の大きさであれば、ルアー本体の直進泳動を妨げかつルアーに不規則で変幻自在な動きを与えるのにより効果的である。
【００１６】
ブレードは厚さが０．１〜１ｍｍ、面積が１００〜９００ｍｍ2の範囲の金属製板であることが好ましい。前記の範囲であれば、ルアー本体の直進泳動を妨げかつルアーに不規則で変幻自在な動きを与えるのにより効果的である。
【００１７】
ブレードはルアーの進行方向に向かって中央が凹の湾曲形状に形成されているのが好ましい。これにより、より効果的にルアー本体の直進泳動を妨げかつルアーに不規則で変幻自在な動きを与える。
【００１８】
本発明において、ルアー本体とはルアーのボディをいう。通常、ボディはローリングして泳動するが、本発明のルアーはローリングに加えてプレートの動きによる水流抵抗の作用を大きく受け、速度が一定の通常の引きでも、ラインを強く引いて速く泳動させても予測不可能な不規則で変幻自在な動きとなる。とくにブレードのバランスが大きく崩れたときに大きく動き、この動きが魚を挑発する動きとなる。ブレードの形状は、矩形、台形、円形等の様々な形状であってもよい。
【００１９】
以下図面によって説明する。図１は本発明における一実施例のブレード付きルアーの側面図である。このルアーはペンシルベイトである。ルアー１０の基本形は、ボディ１に目の形をしたアイ２が描かれており、先端部にスプリットリング９が接続されている。腹部にはフックハンガー３がボディ１に固定され、このフックハンガー３にフロントフック５が接続されている。フロントフック５はダブルフックでもトリプルフックでもよい。尾部にはフックハンガー４がボディ１に固定され、このフックハンガー４にリアフック６が接続されている。リアフック６もダブルフックでもトリプルフックでもよい。このような基本形のルアーに、ブレード７を取り付けたのが本発明の実施例品である。
【００２０】
まず、ブレード７はボディ１の先端部のスプリットリング９に金属線環状体８により取り付ける。この実施例においては、ブレード７に孔７ａ，７ｂをあけておき、ここに金属線を通しかつスプリットリング９にも通してループ状の環とし、環のいずれかの部分で環を閉じる、８ｂは環を閉じた部分である。これにより、ブレードとラインの動きを抑制する。８ａはラインをつなぐ部分である。
【００２１】
図２Ａは図１に示すルアーのボディ１の先端部分のブレード７の平面図である。ブレード７は台形に近く、２つの角をカットした形状である。ほぼ中央付近に２つの孔７ａ，７ｂがあけられており、この中に金属線環状体８の金属線を通している。図２Ｂは図２ＡのＩ−Ｉ線断面図である。ブレード７はルアー本体の泳動進行方向Ｆに向かって、中央が凹の湾曲形状に形成されている。図２Ｃは図２ＡのＩＩ−ＩＩ線断面図である。金属線環状体８と、ラインをつなぐ部分８ａと、環を閉じた部分８ｂを示している。
【００２２】
図３は本発明における一実施例のメタルジグ１１にブレードを付けた側面図である。このメタルジグ１１は、ボディ１２とトリプルフック１３を備え、図１〜２に示すブレード７を備えている。図４は本発明における一実施例のラバージグ２１にブレードを付けた側面図である。このラバージグ２１は、ヘッド２２とラバースカート２３とウィードガード２４と、フック２５を備え、図１〜２に示すブレード７を備えている。
【実施例】
【００２３】
以下、実施例を用いて本発明をさらに具体例に説明する。なお、本発明は下記の実施例に限定されるものではない。
【００２４】
（実施例１）
図２Ａ−Ｃに示すブレード７を作成した。このブレード７の材質は、厚さ０．５ｍｍのニッケルメッキを施した真鍮からなる金属プレート（重量０．９ｇ）とした。大きさは、もっとも幅の広い部分が２０ｍｍ、もっとも幅の狭い部分が１８ｍｍ、高さ１８ｍｍ、面積３４２ｍｍ2、取り付け穴７ａ，７ｂの直径が２ｍｍ、取り付け穴７ａ，７ｂの間も２ｍｍとした。金属線環状体６を構成する金属材料は太さが直径０．５ｍｍの軟鉄線とし、全体のループ長さ１５ｍｍ、ループの先端から環を閉じた部分６ｂまでの距離は７ｍｍ、ブレードが自由に動ける距離８ｍｍ、金属線環状体６の幅４ｍｍとした。
【００２５】
このブレード７を図１に示すように長さ８０ｍｍのペンシルベイト１０に取り付け、実際にラインで引いて水中で使用した。この結果、驚くべきことに、上下左右に不規則で大きな変化をした泳ぎをし、変幻自在な動きをし、あたかも小魚が泳ぐような挙動であり、いわゆるルアーにアクションをさせることができ、例えば蛇行、千鳥、エスケープ・アクションしたり、急に方向を変えたり、しゃくり上げたりという釣りの対象とする魚を誘うような動作した。このような複雑な動きを数値化することは難しいが、リールで通常の使用速度約０．６〜１．２ｍ／秒の速度で引いたとき、予測できない不規則な動きが認められた。そして、釣りの成果は従来のルアーには見られないほど顕著なものであり、小型魚〜中型魚の一般魚にも好適であり、ブラックバス等の大型魚を釣るのにとくに好適であることが確認できた。これは、ブレード７が前後左右上下に動き、様々な方向にルアーを導くからであると推認される。
【００２６】
（比較例１）
実施例１においてブレード７を取り付けていない従来品のルアーを、実施例１と同一の条件によりリールで引いた。この結果、直線的かつ規則的な単調な泳ぎであった。
【００２７】
（実施例２）
実施例１のブレード7を図２Ａ−Ｃに示す形状で、もっとも幅の広い部分が１６ｍｍ、もっとも幅の狭い部分が１４ｍｍ、高さ１４ｍｍ、面積１９６ｍｍ2、取り付け穴７ａ，７ｂの直径が１．５ｍｍ、取り付け穴７ａ，７ｂの間は２ｍｍとした以外は実施例１と同様にペンシルベイト１０に取り付けた。このルアーも実際にリールで通常の水中使用速度約０．６〜１．２ｍ／秒の速度で引いたところ、上下左右に不規則で大きな変化をした泳ぎをし、変幻自在な動きをし、あたかも小魚が泳ぐような挙動であり、いわゆるルアーにアクションをさせることができ、例えば蛇行、千鳥、エスケープ・アクションしたり、急に方向を変えたり、しゃくり上げたりという釣りの対象とする魚を誘うような動作した。
【００２８】
（実施例３）
実施例１のペンシルベイトに換えて、長さ５５ｍｍのミノー・プラグとした以外は、実施例１と同様にペンシルベイト１０に取り付けた。このルアーも実際にリールで通常の使用速度約０．６〜１．２ｍ／秒の速度で、ラインで引いて水中で使用したところ、上下左右に不規則で大きな変化をした泳ぎをし、変幻自在な動きをし、あたかも小魚が泳ぐような挙動であり、いわゆるルアーにアクションをさせることができ、例えば蛇行、千鳥、エスケープ・アクションしたり、急に方向を変えたり、しゃくり上げたりという釣りの対象とする魚を誘うような動作した。
【００２９】
（比較例２）
実施例３においてブレード７を取り付けていない従来品のルアーを、実施例３と同一の条件によりリールで引いた。この結果、直線的かつ規則的な単調な泳ぎであった。
【００３０】
（実施例４）
実施例１のペンシルベイトに換えて、図３に示すように長さ約８０ｍｍ、最大幅約１５ｍｍ、厚さ約２ｍｍのメタルジグとした以外は、実施例１と同様にブレード７を取り付けた。このルアーも実際にリールで通常の使用速度約０．６〜１．２ｍ／秒の速度で、ラインで引いて水中で使用したところ、上下左右に不規則で大きな変化をした泳ぎをし、変幻自在な動きをし、あたかも小魚が泳ぐような挙動であり、いわゆるルアーにアクションをさせることができ、例えば蛇行、千鳥、エスケープ・アクションしたり、急に方向を変えたり、しゃくり上げたりという釣りの対象とする魚を誘うような動作した。
【００３１】
（実施例５）
実施例１のペンシルベイトに換えて、図４に示すようにヘッドの長さ約２０ｍｍ、高さ約１０ｍｍ、厚さ約１３ｍｍ、ラバースカートとウィードガードの長さ約５０ｍｍのラバージグとした以外は、実施例１と同様にブレード７を取り付けた。このルアーも実際にリールで通常の使用速度約０．６〜１．２ｍ／秒の速度で、ラインで引いて水中で使用したところ、上下左右に不規則で大きな変化をした泳ぎをし、変幻自在な動きをし、あたかも小魚が泳ぐような挙動であり、いわゆるルアーにアクションをさせることができ、例えば蛇行、千鳥、エスケープ・アクションしたり、急に方向を変えたり、しゃくり上げたりという釣りの対象とする魚を誘うような動作した。
【００３２】
以上のとおり、従来のルアーではライン（糸）を引っ張る方向に直線的にしか動かないので、ルアーの動きに慣れてしまった魚（スレた魚）に対しては、釣果は上げられなかったが、本発明のルアーではあらゆる方向に不規則に動くので、逃げ惑う小魚のようにルアーを演出し、捕食行動を起こさせたり、また予想外の動きに反射的に対象魚を反応させることができ、スレた魚に対しても釣果は上げることができる。
【産業上の利用可能性】
【００３３】
本発明のルアーは、ハードルアーと呼ばれるルアーであればどのようなものにも適用できる。例えばスプーン、スピナー、プラグ、ジグ等であり、プラグとしては、ペンシルベイト、スウィッシャー、ポッパー、ノイジー、ミノー、クランクベイト、メタルジグ等に適用できる。ルアーの材料は、樹脂製、金属製、木材製等いかなるものであってもよい。
【符号の説明】
【００３４】
１  ボディ
２  アイ
３，４  フックハンガー
５  フロントフック
６  リアフック
７  ブレード
８  金属線環状体
８ａ  ラインをつなぐ部分
８ｂ  環を閉じた部分
９  スプリットリング
１０  ブレード付きルアー
１１  メタルジグ
１２  ボディ
１３  トリプルフック
２１  ラバージグ
２２  ヘッド
２３  ラバースカート
２４  ウィードガード
２５  フック
【図１】
2012080826.tif 000003
【図２】
2012080826.tif 000004
【図３】
2012080826.tif 000005
【図４】
2012080826.tif 000006